(57)【要約】      （修正有）【課題】釣り竿の収納展示の安定性と、収納作業の簡易性の向上と、全体重の軽減化による携帯性とを備えるロッドホルダーを提供する。【解決手段】釣り竿２の竿尻２ａを嵌挿して支持する上向き凹陥支持部３を左右方向に所要の間隔で複数個備える下側支持体部４と、釣り竿の穂先側を挟持する横向き挟持溝部５が前記下側支持体部における複数の上向き凹陥支持部の上方の夫々に対向する位置に形成して備える上側支持体部６とを備える。さらに、これらの下側支持体部４及び上側支持体部６の左右端部同士を上下方向で連結する左側上下連結バンド部７ａと右側上下連結バンド部７ｂとからなる。【選択図】図１
0003172322.tif 000002
【実用新案登録請求の範囲】
【請求項１】
釣り竿の竿尻を嵌挿して支持する上向き凹陥支持部を左右方向に所要の間隔で複数個備える下側支持体部と、釣り竿の穂先側を挟持する横向き挟持溝部を前記下側支持体部における複数の上向き凹陥支持部の上方の夫々に対向する位置に形成して備える上側支持体部と、これらの下側支持体部及び上側支持体部の左右端部同士を上下方向で連結する左側上下連結バンド部と右側上下連結バンド部とからなるロッドホルダー。
【請求項２】
前記下側支持体部と前記上側支持体部は適度の弾力性を備える弾性材から設けられる請求項１のロッドホルダー。
【請求項３】
前記下側支持体部と前記上側支持体部を構成する弾力材は、硬質ポリウレタンフォームにより形成される請求項２のロッドホルダー。
【請求項４】
前記下側支持体部の背面に下部補強板が、前記上側支持体部の背面に上部補強板が夫々一体に添着されてなる請求項１、請求項２、請求項３のいずれか１のロッドホルダー。
【請求項５】
前記左側上下連結バンド部の上端と右側上下連結バンド部の上端には、前記上側支持体部の上面より上方に左側上方延設バンド部と右側上方延設バンド部が夫々延設され、該左側上方延設バンド部と右側上方延設バンド部の端部には脱着自在の係合連結具が連結されて掛け部が設けられてなる請求項１、請求項２、請求項３、請求項４のいずれか１のロッドホルダー。
【請求項６】
前記左側上下連結バンド部の左側上方延設バンド部と前記右側上下連結バンド部の右側上方延設バンド部の前面に差し渡され、夫々の対応面が固着されて上側左右連結バンド部が設けられ、前記左側上下連結バンド部の左側上方延設バンド部と前記右側上下連結バンド部の右側上方延設バンド部と上側左右連結バンド部の両端部が重合接着される部分には、壁掛け用フックの貫通用支持孔が設けられてなる請求項１、請求項２、請求項３、請求項４、請求項５のいずれか１のロッドホルダー。
【請求項７】
前記左側上下連結バンド部の下端と右側上下連結バンド部の下端には、前記下側支持体部の下面より下方に左側下方延設バンド部と右側下方延設バンド部が夫々延設され、該左側下方延設バンド部と右側下方延設バンド部の端部には壁掛け用フックの貫通用支持孔が夫々配備されてなる請求項１、請求項２、請求項３、請求項４、請求項５、請求項６のいずれか１のロッドホルダー。
【請求項８】
前記下側支持体部と上側支持体部を連結する左側上下連結バンド部と右側上下連結バンド部の夫々が上下の長さを伸縮自在に調整できる調整具が介在されて接続されてなる請求項１、請求項２、請求項３、請求項４、請求項５、請求項６、請求項７のいずれか１のロッドホルダー。
【請求項９】
前記調整具は係合接続部と接続部を備える調整連結環と係合接続部に連結するバンド部の中間及び端部が保持される中間端部保持環とから構成される請求項８のロッドホルダー。
【請求項１０】
釣り竿の竿尻を嵌挿して支持する上向き凹陥支持部を左右方向に所要の間隔で複数個備える下側支持体部と、釣り竿の穂先側を挟持する横向き挟持溝部を前記下側支持体部における複数の上向き凹陥支持部の上方の夫々に対向する位置に形成して備える上側支持体部と、これらの下側支持体部及び上側支持体部を上下方向に同一表面上に配置する一枚のシート部材とからなるロッドホルダー。
【請求項１１】
前記シート部材は上側保持体部より上方に上方延設部が延設配備され、その両側左右隅に壁掛け用フックを嵌挿する貫通用支持孔が配備されてなる請求項１０のロッドホルダー。
【請求項１２】
前記シート部材は下側保持体部より下方に下方延設部が延設配備され、その両側左右隅部に壁掛け用フックを嵌挿する貫通用支持孔が配備される請求項１１のロッドホルダー。
【請求項１３】
前記シート部材の前記下側支持体部と前記上側支持体部を配備する中間の左側縁よりと右側縁よりにおいて、前記下側支持体部と前記上側支持体部の上下の間隔を調整する左側調節具と右側調節具が夫々設けられてなる請求項１１又は請求項１２のロッドホルダー。
【請求項１４】
前記左側調節具と右側調節具は夫々が上下に対応してシート部材に配備される雌ファスナー片と雄ファスナー片が設けられる請求項１３のロッドホルダー。
【考案の詳細な説明】
【技術分野】
【０００１】
本考案は釣り竿を釣り現場及び保管場所において縦向き又は横向きに設置して使用するロッドホルダーに関するものである。
【背景技術】
【０００２】
従来、特許文献１には、スタンド使用時は、スタンド本体１２をスタンドの長さおよび幅方向の外側にのばして組み立て、しかも竿置き部材１３を立ち上げる。その後、竿置き部材１３上に釣り竿１１を略水平または竿先を下向きら載せたて使用する。スタンド収納時は、スタンド本体１２を、スタンドの長さおよび幅方向の内側に折り畳む一方、竿置き部材１３も折り畳んで収納する釣り竿用スタンドが提案されている。
【０００３】
特許文献２には、左右対称に設ける脚部の下部に脚部保持板を設け、上部に装飾橋袈板と上部ロッド挿着板、中程に脚部橋袈板、そして下部に下部ロッド挿着板を取り付け、左右の脚部の上端に上部橋袈板を取り付け、その上部橋袈板にルアー収納装飾ケースを取り付けたロッドスタンドが提案されている。
【０００４】
特許文献３は、竿尻を受ける竿受部１Ａを左右方向に複数備えた下側支持部材３と、竿Ｓの穂先側を挟持する挟持部４Ａの複数を前記竿受部１Ａの上部それぞれに対応させた位置に形成した上側支持体部６と、これら下側支持部材３及び上側支持体部６の左右端部同士を上下方向にそれぞれ連結する左右一対の連結部材７、７とからなる竿支持本体８に、支持された竿ＳのリールＲを接当支持する支持部材９及び該竿支持本体８の上部側の水平軸芯Ｘ周りで揺動自在に取り付けた脚部１０、１０を取り付けているルアー竿用スタンドが提案されている。
【先行技術文献】
【特許文献】
【０００５】
【特許文献１】特開平１１−３１８３０３号公報
【特許文献２】特開２０００−３１６６４９号公報
【特許文献３】特開２００１−２９２６７６号公報
【考案の概要】
【考案が解決しようとする課題】
【０００６】
前記特許文献１の釣り竿用スタンドは、釣り現場におけるスタンドであるため収納時における展開性と展示機能がなく、インテリア用品としては使用できないものである。
【０００７】
前記特許文献２のロッドスタンドは、複数の魚釣り竿をスタンドに立て掛けて挿着し、集合収納を行えるものであるが、両側に配備される脚部と、その脚部間に差し渡される上部ロッド挿着板と、下部ロッド挿着板は板体により設けられ、収納と展示を行える家具であり、室内インテリアであるが、各部が板部材から設けられるので、各部は固着されて分解性に欠け、かつ重量があるので携帯性を欠くものである。
【０００８】
前記特許文献３のルアー竿用スタンドは、釣り現場におけるスタンドであるが、竿の支持構造から、容易に使用状態に組み立てができる展開組立性と容易に携帯状態に折り畳みができる折畳み縮小性とを備えるが、各部の部材が自立可能な強度を備えた棒体と板状体から構成されるので、かなりの重量となり、携帯性を欠くものである。また、上部を中心に下部を前後に離隔して起立するため、設置スペースをとり、屋内に設置して展示収納に不適である。
【０００９】
本考案は、前記従来の欠点を解消し、屋内の展示収納に優れ、部材の軽量化が図れて釣り竿を収納携帯が容易で、釣り現場でも収納展示ができるロッドスタンドを提供しようとなされたものである。
【課題を解決するための手段】
【００１０】
釣り竿の竿尻を嵌挿して支持する上向き凹陥支持部を左右方向に所要の間隔で複数個備える下側支持体部と、釣り竿の穂先側を挟持する横向き挟持溝部を前記下側支持体部における複数の上向き凹陥支持部の上方の夫々に対向する位置に形成して備える上側支持体部と、これらの下側支持体部及び上側支持体部の左右端部同士を上下方向で連結する左側上下連結バンド部と右側上下連結バンド部とからなるロッドホルダーある。
【００１１】
前記下側支持体部と前記上側支持体部は適度の弾力性を備える弾性材から設けられてもよいものである。
【００１２】
前記下側支持体部と前記上側支持体部を構成する弾性材は、硬質ポリウレタンフォームにより形成されてもよいものである。
【００１３】
前記下側支持体部の背面に下部補強板が、前記上側支持体部の背面に上部補強板が夫々一体に添着されてもよいものである。
【００１４】
前記左側上下連結バンド部の上端と右側上下連結バンド部の上端には、前記上側支持体部の上面より上方に左側上方延設バンド部と右側上方延設バンド部が夫々延設され、該左側上方延設バンド部と右側上方延設バンド部の端部には脱着自在の係合連結具が連結されて掛け部が設けられてもよいものである。
【００１５】
前記左側上下連結バンド部の左側上方延設バンド部と前記右側上下連結バンド部の右側上方延設バンド部の前面に差し渡され、夫々の対応面が固着されて上側左右連結バンド部が設けられ、前記左側上下連結バンド部の左側上方延設バンド部と前記右側上下連結バンド部の右側上方延設バンド部と上側左右連結バンド部の両端部が重合接着される部分には壁掛け用フックの貫通用支持孔が設けられてもよいものである。
【００１６】
前記左側上下連結バンド部の下端と右側上下連結バンド部の下端には、前記下側支持体部の下面より下方に左側下方延設バンド部と右側下方延設バンド部が夫々延設され、該左側下方延設バンド部と右側下方延設バンド部の端部には壁掛け用フックの貫通用支持孔が夫々配備されてもよいものである。
【００１７】
前記下側支持体部と上側支持体部を連結する左側上下連結バンド部と右側上下連結バンド部の夫々は上下の長さを伸縮自在に調整できる調整具が介在されて接続されてもよいものである。
【００１８】
前記調整具は係合接続部と接続部を備える調整連結環と係合接続部に連結するバンド部の中間及び端部を保持する中間端部保持環とから構成されてもよいものである。
【００１９】
釣り竿の竿尻を嵌挿して支持する上向き凹陥支持部を左右方向に所要の間隔で複数個備える下側支持体部と、釣り竿の穂先側を挟持する横向き挟持溝部を前記下側支持体部における複数の上向き凹陥支持部の上方の夫々に対向する位置に形成して備える上側支持体部と、これらの下側支持体部及び上側支持体部を上下方向に同一表面上に配置する一枚のシート部材とからなるロッドホルダーが構成されてもよいものである。
【００２０】
前記シート部材は上側保持体部より上方に上方延設部が延設配備され、その両側左右隅に壁掛け用フックを嵌挿する貫通用支持孔が配備されてもよいものである。
【００２１】
前記シート部材は下側保持体部より下方に下方延設部が延設配備され、その両側左右隅部に壁掛け用フックを嵌挿する貫通用支持孔が配備されてもよいものである。
【００２２】
前記シート部材の前記下側支持体部と前記上側支持体部を配備する中間の左側縁よりと右側縁よりにおいて、前記下側支持体部と前記上側支持体部の上下の間隔を調整する左側調節具と右側調節具が夫々設けられてもよいものである。
【００２３】
前記左側調節具と右側調節具は夫々が上下に対応してシート部材に配備される雌ファスナー片と雄ファスナー片から設けられてもよいものである。
【考案の効果】
【００２４】
本考案のロッドホルダーは、釣り竿の屋内における収納展示の安定性と、収納作業の簡易性の向上と、全体重の軽減化による携帯性とを備えものである。
【図面の簡単な説明】
【００２５】
【図１】本考案のロッドホルダーの実施例１を縦向きに設置した状態の全体外観斜視図である。
【図２】同じく実施例１を横向きに設置した状態の全体外観斜視図である。
【図３】本考案のロッドホルダーの実施例２を縦向きに設置した状態の全体外観斜視図である。
【図４】本考案のロッドホルダーの実施例１と実施例２における縦向き掛け吊りする掛け部の係合連結具の一例を示す部分斜視図である。
【図５】本考案のロッドホルダーの実施例２における下側保持体部と上側保持体部を連結する左側上下連結バンド部と右側上下連結バンド部の上下の調整具の一例を示す部分外観斜視図である。
【図６】本考案のロッドホルダーの実施例３を縦向きに設置した状態の全体外観斜視図である。
【図７】同じく実施例３を横向に設置した状態の全体外観斜視図である。
【図８】本考案のロッドホルダーの実施例４の縦向き設置状態の全体外観斜視図である。
【図９】同じく実施例４の下側保持体部と上側保持体部を配備するシート部における左側調整具と右側調整具の連結状態を説明する全体外観斜視図である。
【考案を実施するための形態】
【００２６】
釣り竿の竿尻を嵌挿して支持する上向き凹陥支持部を左右方向に所要の間隔で複数個備え、その背面に下部補強板を備える硬質ポリウレタンフォーム材製の下側支持体部と、釣り竿の穂先側を挟持する横向き挟持溝部を前記下側支持体部における複数の上向き凹陥支持部の上方の夫々に対向する位置に形成して備え、その背面に上部補強板を備える硬質ポリウレタンフォーム材製の上側支持体部と、これらの下側支持体部及び上側支持体部の左右端部同士を上下方向で連結し、夫々の上下の延設端部に壁掛け用フックの貫通用支持孔を形成する取付け用ハトメ部を備えるＰＰテープ製の左側上下連結バンド部とＰＰテープ製の右側上下連結バンド部とからなるロッドホルダー。
【実施例１】
【００２７】
以下、本考案のロッドホルダーの実施例１について図１及び図２により説明すると、実施例１のロッドホルダー１は、釣り竿２の竿尻２ａを嵌挿して支持する上向き凹陥支持部３を左右方向に所要の間隔で複数個備える下側支持体部４と、釣り竿２の穂先側２ｂを挟持する横向き挟持溝部５を前記下側支持体部４における複数の上向き凹陥支持部３の上方の夫々に対向する位置に形成して備える上側支持体部６と、これらの下側支持体部４及び上側支持体部６の左右端部同士を上下方向で連結する左側上下連結バンド部７ａと右側上下連結バンド部７ｂとから構成されるものである。
【００２８】
前記下側支持体部４と前記上側支持体部６は適度の弾力性を備える弾性材、例えば硬質ポリウレタンフォームにより形成される。また、前記下側支持体部４の背面に下部補強板８が、前記上側支持体部６の背面に上部補強板９が夫々一体に添着され、前記下側支持体部４と前記上側支持体部６の形態が夫々一定に保持される。
【００２９】
前記左側上下連結バンド部７ａの下端と、右側上下連結バンド部７ｂの下端は、前記下側支持体部４の下面４ａより下方に左側下方延設バンド部７ａ１と右側下方延設バンド部７ｂ１が夫々延設され、該左側下方延設バンド部７ａ１と右側下方延設バンド部７ｂ１の端部には夫々取付け用ハトメ部１０、１０が装着され、壁掛け用フックの貫通用支持孔１０ａ、１０ａが配備される。
【００３０】
前記下側補強板８の上縁に下縁が一致し、下側補強板８の前面と前記左側上下連結バンド部７ａと右側上下連結バンド部７ｂの前面に差し渡され、夫々の対応面が固着されて下側左右連結バンド部１１部が設けられる。前記左側上下連結バンド部７ａと右側上下連結バンド部７ｂと前記下側左右連結バンド部１１と下側補強板８が三層に重合接着する部分は鋲１２、１２により鋲着される。
【００３１】
前記左側上下連結バンド部７ａの上端と、右側上下連結バンド部７ｂの上端には、前記上側支持体部６の上面６ａより上方に左側上方延設バンド部７ａ２と右側上方延設バンド部７ｂ２が夫々延設され、該左側上方延設バンド部７ａ２と右側上方延設バンド部７ｂ２の端部には脱着自在の係合連結具１３が連結されて掛け部１４が設けられ、該掛け部１４は運搬時の手掛け部又は肩掛け部或いは釣り現場における立木等への定置用掛け部となる。
【００３２】
前記上側支持体部６の上縁に下縁が一致し、前記左側上下連結バンド部７ａの左側上方延設バンド部７ａ２と、前記右側上下連結バンド部７ｂの右側上方延設バンド部７ｂ２の前面に差し渡され、夫々の対応面が固着されて上側左右連結バンド部１５が設けられる。
【００３３】
前記左側上下連結バンド部７ａの左側上方延設バンド部７ａ２と前記右側上下連結バンド部７ｂの右側上方延設バンド部７ｂ２と上側左右連結バンド部１５の両端部が重合接着される部分には、取付け用ハトメ部１６、１６によりその両者を固着すると共に壁掛け用フックの貫通用支持孔１６ａ、１６ａを設ける。
【００３４】
本考案の実施例１のロッドホルダー１は前述のように構成されるから、図１に示すように、設置しようとする個所の壁面にロッドホルダー１を縦向きに展開し、例えば、壁面の上方側に固着された壁掛け用フックに上方側の取付け用ハトメ部１０、１０の貫通用支持孔１０ａ、１０ａを夫々差し込んで壁面に掛け止め、全体を壁面に張袈して実施例１のロッドホルダー１を設置するものである。なお、壁面の下方側に固着された壁掛け用フックに下方側の取付け用ハトメ部１６、１６の貫通用支持孔１６ａ、１６ａを夫々差し込んで同じく壁面に掛け止めてもよいものである。
【００３５】
前記実施例１のロッドホルダー１は、張袈されるから壁面と一体化し、下側支持体部４は下部補強板８により、上側支持体部６は上部補強板９により夫々補強されているから、所定の向きに夫々保持され、下側支持体部４の上向き凹陥支持部３に釣り竿２の竿尻２ａを嵌挿し、竿２の穂先側２ｂを上側支持体部６の横向き挟持溝部５に差し入れその復元弾力により挟持し、釣り竿２の複数本の重量を堅固に支えて収納展示が行えるものである。
【００３６】
前記実施例１のロッドホルダー１は、壁掛け用フックに吊るして使用できるので、何処にでも設置することができる。
【００３７】
前記実施例１のロッドホルダー１の左側上下連結バンド部７ａ、左側下方延設バンド部７ａ１、左側上方延設バンド部７ａ２、前記右側上下連結バンド部７ｂ、右側下方延設バンド部７ｂ１及び右側上方延設バンド部７ｂ２は、ＰＰテープを用いて構成されるから、未使用時、携帯時にコンパクトな収納が可能である。
【００３８】
前記実施例１のロッドホルダー１をコンパクトに収納できるから、釣りに行く際に持ち出して現場で使用できる。
【００３９】
前記実施例１のロッドホルダー１の掛け部１４は、収納運搬時の持ち手なり、また、現場では、係合連結具の係合を外して立木等に容易に掛け吊りができる。
【００４０】
前記実施例１のロッドホルダー１の下側支持体部４と上側支持体部６は硬質ポリウレタンフォームが使用されるため釣り竿を傷つけず収納でき、軽量である。
【００４１】
前記実施例１のロッドホルダー１は、壁に設置する際、上方側支持体部６の上方側の２箇所の貫通用支持孔１６ａ、１６ａに壁掛け用フックを夫々差し込んで壁面に掛け止めるだけでよいから設置が容易である。
【００４２】
前記実施例１のロッドホルダー１は、下側支持体部４の下方側に壁掛け用フックの貫通用支持孔１０ａ、１０ａが設けられるから、図２に示すように、壁面に横向きに張袈して設置することができる。なお、壁掛け用フックを夫々差し込む貫通用支持孔１６ａ、１６ａ、１０ａ、１０ａは取付け用ハトメ部１６、１６、１０、１０によるものに限定するものではない。
【００４３】
前記係合連結具１３は、図４に示すように、係合爪部１３ａと係合筒部１３ｂから構成され、図示の状態から係合爪部１３ａを係合筒部１３ｂに押し込んで自動的に係着させて一体に連結し、係合爪部１３ａの両側を内側に押し込んで両者の係合を外して引き抜き自在とするものである。
【００４４】
前記係合連結具１３は一例を示すものであって、これに限定されるものではなく、係合部にベルベットファスナーを使用する構造のものでもよいものである。
【実施例２】
【００４５】
次に、本考案のロッドホルダーの実施例２について図３、図４及び図５により説明すると、実施例２のロッドホルダー１７は、前記実施例１のロッドホルダー１に加えて、下側支持体部４と上側支持体部６を連結する左側上下連結バンド部７ａと右側上下連結バンド部７ｂの夫々が上下の長さを伸縮自在に調整できる調整具１８を介して接続してなる構成としたものである。
【００４６】
前記調整具１８は、例えば、図５に示すように、係合接続部１９ａと接続部１９ｂを備える調整連結環１９と係合接続部１９ａに連結する重合バンド部の中間を保持する中間端部保持環２０とから構成される。
【００４７】
前記実施例２のロッドホルダー１７においては、前記左側上下連結バンド部７ａは左側下方部７ａ−１と左側上方部７ａ−２に、右側上下連結バンド部７ｂは右側下方部７ｂ−１と右側上方部７ｂ−２に夫々分割して設け、図５に示すように、その一方の前記左側上方部７ａ−２と右側上方部７ｂ−２を夫々対応する調整連結環１９の接続部１９ｂに定尺に連結し、他方の前記左側下方部７ａ−１と右側下方部７ｂ−１を夫々対応する調整連結環１９の係合接続部１９ａで折り返してスライドで自在であると共に任意位置で係合して定置可能に連結し、調整連結環１９の係合接続部１９ａから引き出される夫々の自由端を調整連結環１９に向かう前記左側下方部７ａ−１と右側下方部７ｂ−１の対応面の夫々に重合し、夫々の重合部を中間端部保持環２０に嵌挿して相互の摩擦力により重合状態を保持して左側下方部７ａ−１と右側下方部７ｂ−１を夫々所要の長さに維持し、左側上下連結バンド部７ａと右側上下連結バンド部７ｂの上下長を所望に調節自在に設けるものである。
【００４８】
前記実施例２のロッドホルダー１７は、前述のように、実施例１のロッドホルダー１に加えて左側上下連結バンド部７ａと右側上下連結バンド部７ｂの長さを調整具１８より調節自在に設けられるから下側支持体部４と上側支持体部６の間隔を収納展示する釣り竿の長短又は縮小長若しくは設置場所の広狭或いは設置者の好みに適合させて設置できる。
【００４９】
前記調整具１８は一例を示すものであって、これに限定されるものではなく、係合部にベルベットファスナーを使用する構造のものでもよいものである。
【実施例３】
【００５０】
次に、本考案のロッドホルダーの実施例３について図６及び図７により説明すると、実施例３のロッドホルダー２１は、前記実施例１のロッドホルダー１において、下側支持体部４と上側支持体部６を連結する左側上下連結バンド部７ａと右側上下連結バンド部７ｂの夫々を一枚のシート部材２２により設けるものである。
【００５１】
前記シート部材２２は下側保持体部４より下方に下方延設部２２ａが配備され、その両側隅部に取付け用ハトメ部２３、２３が装着され、貫通用支持孔２３ａ、２３ａが配備される。
【００５２】
前記シート部材２２は上側保持体部４より上方に上方延設部２２ｂが配備され、その両側隅部に取付け用ハトメ部２４、２４が装着され、貫通用支持孔２４ａ、２４ａが配備される。
【００５３】
前記実施例３のロッドホルダー２１は、下側支持体部４より下方に下方延設部２２ａが配備され、貫通用支持孔２３ａ、２３ａが配備され、また、上側保持体部４より上方に上方延設部２２ｂが配備され、貫通用支持孔２４ａ、２４ａが配備されるから、図５に示すように、壁面に横向きに張袈して設置することもできる。
【００５４】
前記実施例３のロッドホルダー２１は、実施例１のロッドホルダー１と同様に釣り竿２の複数本の収納展示が行え、また、同様の効果を奏するものである。また、下側支持体部４及び上側支持体部６を中心にシート部材を巻回して携帯が行えるものである。
【実施例４】
【００５５】
次に、本考案のロッドホルダーの実施例４について図８及び図９により説明すると、実施例４のロッドホルダー２５は、前記実施例３のロッドホルダー２１において、下側支持体部４と上側支持体部６を連結するシート部材２２の左側よりと右側よりにその上下の間隔を調整自在に構成する左側調節具２６と右側調節具２７が夫々設けられるものである。
【００５６】
前記左側調節具２６と右側調節具２７は、夫々が上下に対応してシート部材２２に配備される雌ファスナー片２８ａと雄ファスナー片２８ｂから設けられる。
【００５７】
前記雌ファスナー片２８ａは、雌係合部２８ａ１の全面がシート部材２２に固着される。
【００５８】
前記雄ファスナー片２８ｂは、雄係合部２８ｂ１がその上部側裏面の一部に配備され、下部側の一部２８ｂ２がシート部材２２に固着されて配備される。
【００５９】
前記実施例４のロッドホルダー２５は、前述のように、前記雌ファスナー片２８ａは雌係合部２８ａ１の全面がシート部材２２に固着され、前記雄係合ファスナー片２８ｂは雄係合部２８ｂ１がその上部側の一部に配備され、下部側の一部２８ｂ２がシート部材２２に固着されるから、雌ファスナー片２８ａと雄ファスナー片２８ｂの間のシート部材２２を上下に所望幅折り畳み、それから下側の雄ファスナー片２８ｂの雄係合部２８ｂ１を雌ファスナー片２８ａの雌係合部２８ａ１に重合・係合して連結し、下側支持体部４と上側支持体部６の上下間隔を折り畳み幅により縮小することができるものである。
【００６０】
前記実施例４のロッドホルダー２５は、実施例３のロッドホルダー１７と同様に、壁面等に設置して釣り竿の収納展示機能と下側支持体部４及び上側支持体部６を中心にシート部材を巻回しての携帯機能等の効果に加えて下側支持体部４と上側支持体部６の配置位置の上下調節機能を備えるものである。
【産業上の利用可能性】
【００６１】
本考案のロッドホルダーは、軽量に構成することかでき、収納展示家具としての機能性と定置性及び持ち運びと設置の容易性を備え、釣りマニアに特化した商品とて趣味用品産業の発展に寄与するものである。
【符号の説明】
【００６２】
１  実施例１のロッドホルダー
２  釣り竿
２ａ  竿尻
２ｂ  穂先側
３  上向き凹陥支持部
４  下側支持体部
４ａ  下面
５  横向き挟持溝部
６  上側支持体部
６ａ  上面
７ａ  左側上下連結バンド部
７ａ−１  左側下方部
７ａ−２  左側上方部
７ａ１  左側下方延設バンド部
７ａ２  左側上方延設バンド部
７ｂ  右側上下連結バンド部
７ｂ−１  右側下方部
７ｂ−２  右側上方部
７ｂ１  右側下方延設バンド部
７ｂ２  右側上方延設バンド部
８  下部補強板
９  上部補強板
１０  取付け用ハトメ部
１０ａ  貫通用支持孔
１１  下側左右連結バンド部
１２  鋲
１３  係合連結具
１３ａ  係合爪部
１３ｂ  係合筒部
１４  掛け部
１５  上側左右連結バンド部
１６  取付け用ハトメ部
１６ａ  貫通用支持孔
１７  実施例２のロッドホルダー
１８  調整具
１９  調整連結環
１９ａ  係合接続部
１９ｂ  接続部
２０  中間端部保持環
２１  実施例３のロッドホルダー
２２  シート部材
２２ａ  下方延設部
２２ｂ  上方延設部
２３  取付け用ハトメ部
２３ａ  貫通用支持孔
２４  取付け用ハトメ部
２４ａ  貫通用支持孔
２５  実施例４のロッドホルダー
２６  左側調節具
２７  右側調節具
２８ａ  雌ファスナー片
２８ａ１  雌係合部
２８ｂ  雄ファスナー片
２８ｂ１  雄係合部
２８ｂ２  下部側の一部
【図１】
0003172322.tif 000003
【図２】
0003172322.tif 000004
【図３】
0003172322.tif 000005
【図４】
0003172322.tif 000006
【図５】
0003172322.tif 000007
【図６】
0003172322.tif 000008
【図７】
0003172322.tif 000009
【図８】
0003172322.tif 000010
【図９】
0003172322.tif 000011